(57)【特許請求の範囲】
【請求項１】
材料ウェブ（２）を切断するための装置であって、
−  切断対象の材料ウェブ（２）を前進させる移動手段（３）であって、中心軸（Ａ）まわりに少なくとも部分的に回転可能な前記ウェブ（２）の供給路（Ｐ）を形成し、前記中心軸（Ａ）の周囲に取り付けられ、少なくとも部分的に曲線状の切断領域（Ｚ）を形成する搬送機（４）を少なくとも備える移動手段（３）と、
−  レーザ光線（Ｆ）を発生するよう構成されたレーザ光源（７ａ）と前記レーザ光線（Ｆ）を前記切断領域（Ｚ）に向かって誘導するよう構成された光学系（７ｂ）とを備えた少なくとも一つのレーザ切断ヘッド（７）と、を備え、
前記切断ヘッド（７）の前記光学系（７ｂ）は、前記中心軸（Ａ）から離れて前記切断領域（Ｚ）に向かうよう前記レーザ光線（Ｆ）を誘導する、前記搬送機（４）の内部に位置する少なくとも一つの誘導部材（８）を備え、前記誘導部材（８）は、その回転軸（Ｂ）の周りを回転可能であって、前記ウェブ（２）の前記供給路（Ｐ）を横切る切断線（Ｔ）を前記ウェブ（２）上に前記レーザ光線（Ｆ）が形成するような方向に向いており、
前記誘導部材（８）は、少なくとも第一の角度の切断開始位置（Ｔ１）と第二の角度の切断終了位置（Ｔ２）との間で回転可能であって、前記移動手段（３）と前記誘導部材（８）の前記回転軸（Ｂ）とが、前記誘導部材（８）の各角度位置に関して、前記誘導部材（８）と前記ウェブ（２）の前記供給面との間で前記レーザ光線（Ｆ）がたどる光路の長さが一定であるように位置決めされ、
前記搬送機（４）が回転ドラムの側面（５ａ）を有する回転ドラム（５）を少なくとも備え、前記回転ドラムの側面（５ａ）は、前記切断領域（Ｚ）を構成して少なくとも部分的に球状の形状であり、前記誘導部材（８）は、前記切断領域（Ｚ）の全ての点から等距離にあるように前記球状の側面（５ａ）の中心に位置する、装置。
【請求項２】
前記搬送機（４）は、前記ウェブ（２）のための曲線状の供給面を構成し、前記切断領域（Ｚ）において、前記レーザ光線（Ｆ）を透過させ前記誘導部材（８）に対向する少なくとも一つの透過部（４ａ）を備え、前記レーザ光線（Ｆ）が前記供給面を通過可能とする、請求項１に記載の装置。
【請求項３】
前記透過部（４ａ）は、貫通孔により形成される、請求項２に記載の装置。
【請求項４】
前記透過部（４ａ）は、前記レーザ光線（Ｆ）を透過させる挿入物や窓によって形成され、前記装置は、繊維性材料の昇華によって生成される汚れを除去するよう構成された、前記挿入物や窓を洗浄する手段を備える、請求項２に記載の装置。
【請求項５】
前記装置は、前記移動手段（３）と前記誘導部材（８）との間に動作可能に挿入された、機械式又は電気機械式の運動伝達手段（９）を備え、前記供給路（Ｐ）に沿った前記移動手段（３）の動きとその回転軸（Ｂ）まわりの前記誘導部材（８）の回転とを相互に関連付ける、請求項１又は２に記載の装置。
【請求項６】
前記切断ヘッド（７）の前記光学系（７ｂ）は、前記誘導部材（８）の上流に動作可能に配置された少なくとも一つの集束部（１０）を備え、前記集束部は、前記レーザ光線（Ｆ）の焦点が前記誘導部材（８）そのものから遠位にある前記誘導部材（８）近傍の位置と、前記レーザ光線（Ｆ）の焦点が前記誘導部材（８）そのものの近位にある前記誘導部材（８）から離れた位置との間の直線を並進移動可能である、請求項１から５のいずれか１項に記載の装置。
【請求項７】
前記誘導部材（８）は、前記中心軸（Ａ）まわりに回転可能である、請求項１から６のいずれか１項に記載の装置。
【請求項８】
前記誘導部材（８）と前記搬送機（４）とは、前記中心軸（Ａ）に対応する同一の回転軸まわりに一体となって回転可能である、請求項１から７のいずれか１項に記載の装置。
【発明の詳細な説明】
【技術分野】
【０００１】
本発明は、材料ウェブであって、好ましくは連続したウェブをレーザ切断する装置に関する。
【０００２】
より詳細には、本発明は、乳幼児用のおむつや生理用品等の衛生肌着類の製造に適用される。
【背景技術】
【０００３】
これらの衛生用品は通常、不織布の浸透性内側層とポリエチレンの非浸透性外側層との間に通常挟持された吸収体パッドを備える。
【０００４】
このような用品を製造するには、まず上述の各層を備えた連続したウェブを形成し、次にこのウェブを成形して、最終的にこのウェブを包装の準備が整うよう単一の製品へと分離する。
【０００５】
成形工程とは主に、脚部輪郭形状に切断することであり、より一般的には特定の用途に適した外形を用品に与えるための工程である。
【０００６】
このような作業に用いられる従来の装置は、回転ドラムを備え、その周りに所定の方向に前進するようにウェブの一部を巻き付けておき、更にこのドラム上の経路にてウェブに作用するレーザ切断ヘッドを備える。レーザ切断ヘッドは、特に同じ技術分野で用いられる回転刃によるカッタ装置と比べると、保守要件が低いこと、制御や調節が容易であることによって、衛生肌着類製品の製造に使用されるプロセスに特に適している。回転刃を使用した装置の場合には、刃を頻繁に交換する必要があり、またはどんな場合にも刃を頻繁に研ぐ必要がある。
【０００７】
このような用途の利点は明らかであるが、レーザ切断を使用することの一つの問題は、ウェブの供給速度が非常に速いことやこれらの用品を大量生産することによって、非常に速い往復運動駆動装置を使用し、これに伴って、ほとんど無視でき、かつ非常に大きな加速を経る質量（ｍａｓｓｅｓ）を移動させる必要があるために、切断ヘッド及び／又は光学系の移動に関連することであることは疑う余地がない。
【０００８】
即ち、このような技術の主な問題点の一つは、関係する慣性荷重が高いことに起因して、高出力（且つ高コスト）の駆動システムと非常に高強度な構造が必要となることである。
【０００９】
従来技術の更なる解決法がＥＰ０５４９３５７文献に開示されており、回転ドラム内部のレーザ切断ヘッドを使用して、曲線状の（ｃａｒｖｅｄ）ドラムの内側面にレーザ光線を誘導することによって、ドラムと共に並進するウェブに切断部や切り込みを形成する。
【００１０】
特に、この文献によれば、切断ヘッドがドラムの中心に位置決めされた固定された誘導要素を備え、ドラム表面にレーザ光線を偏向させ、レーザ光線がドラムの全幅を覆うようにレーザ光線を広げている。
【００１１】
この点で、更なるミラーがドラムの内部に配置され、レーザの一部を遮断して屈折／反射させてドラム表面で再び進路を変えるようになっている。
【００１２】
不都合なことに、この方法は、偏光要素（ｄｅｆｌｅｃｔｏｒ  ｅｌｅｍｅｎｔ）の位置が固定されているので切断を即座に完了させる必要があるために高出力のレーザ光源を必要とし、切断の間にドラムの移動を停止させる必要がある場合もあって、これは当該技術分野においては明らかに望ましくない。
【００１３】
更に、安全性の問題についても過小評価するべきではなく、ＥＰ０５４９３５７のレーザ光線が広範囲に渡って分布し、ドラムの全幅を覆うように設計されているが、切り込み（ｎｏｔｃｈｅｓ）に対応する箇所のみが有効であって、そのためその大部分は反射／屈折することを考えると特に重大である。
【発明の概要】
【００１４】
上述のことに鑑みて、本発明の主な技術目的は、材料ウェブをレーザ切断するための装置であって上述の問題を解決可能な装置を考案することである。
【００１５】
このような技術目的に照らすと、本発明の重要な目的の一つは、材料ウェブをレーザ切断するための装置であって、切断に必要な移動資源を抑えた装置を提供することである。
【００１６】
本発明の更なる目的は、切断ヘッドに関連する移動を最小化した、材料ウェブをレーザ切断するための装置を考案することである。
【００１７】
このような技術目的及び特定した目標は、請求項１に記載の技術的特徴を備えた材料ウェブをレーザ切断するための装置によって実質的に達成される。
【図面の簡単な説明】
【００１８】
本発明の更なる特徴及び利点は、添付の図面に記載されたような、材料ウェブをレーザ切断するための装置に関する好適であるがこれには限定されない実施形態の非限定的な記載によってより明らかである。
【図１】材料ウェブをレーザ切断するための本発明に係る装置の第一の実施形態の概略図を示す。
【図２】材料ウェブをレーザ切断するための本発明に係る装置の第二の実施形態の概略図を示す。
【図３ａ−３ｃ】材料ウェブをレーザ切断するための本発明に係る装置の第三の実施形態の概略上面図及び側面図を示す。
【図４ａ−４ｃ】材料ウェブをレーザ切断するための本発明に係る装置の第四の実施形態の概略前面図、概略側面図及び斜視図である。
【発明を実施するための形態】
【００１９】
添付の図面を参照すると、材料ウェブ２をレーザ切断するための装置は、参照符号１で示されている。
【００２０】
乳幼児用のおむつや生理用品等の衛生肌着類を製造する装置に装置１を装着することが好ましい。
【００２１】
従って、装置は、（図示しない）巻出機を備え、巻出機において、好ましくは連続体であってパッド付きのウェブ２が、浸透性材料の第一の層と非浸透性材料の第二の層とを並置し、この二つの層の間に図示しないパッドを構成する吸収性材料の一部を挿入すること等によって形成される。このような作業は、例えば、二つの供給ローラとパッドを追加するための図示しない周知の装置とによって行われる。
【００２２】
なお、しかしながら、本発明に係る切断装置は、その組成には関係なく、材料ウェブから供給可能であれば、衛生用品の、付属要素を含む任意の要素を分割及び切断するのに使用可能である。
【００２３】
従って、連続ウェブ２を、切断対象の材料ウェブ２に動きを与えるよう構成された適切な移動手段３によって前進させる。
【００２４】
具体的には、移動手段３は、切断対象の材料ウェブ２を前進させるものであり、中心軸（以降中心軸「Ａ」と称する）まわりに少なくとも部分的に回転可能なウェブ２の供給路「Ｐ」を形成する。従って、中心軸「Ａ」はウェブ２を横切る方向である。
【００２５】
より詳細には、移動手段３は、中心軸「Ａ」の周囲に取り付けられ、少なくとも部分的に曲線状の切断領域「Ｚ」を形成する搬送機４を少なくとも備える。
【００２６】
このように、搬送機４は、供給路「Ｐ」において曲線を形成するよう構成され、その曲線は中心軸「Ａ」に対向する凹部（ｃｏｎｃａｖｉｔｙ）を有する。
【００２７】
以下に続く記述からより明らかになるであろうが、搬送機４は、好ましくは中心軸「Ａ」に対応する回転軸まわりに回転可能なドラム５を少なくとも備えることが好ましい（図１、２、３ａ、３ｂ）。
【００２８】
或いは、搬送機４は、摺動ベルト６ｂ等と摺動可能に連結した曲線状の中心コア６ａによって形成されてもよい（図４ａ〜４ｃ）。
【００２９】
処理の正確さを保証するために、搬送機の上流及び下流の両方に動作可能に配置された（図示しない）張力手段を装置が備えることが好ましい。
【００３０】
張力手段によって、搬送機４と連結したウェブ２（少なくともその一部）の供給部１２及び回収（ｐｉｃｋｕｐ）部１３をそれぞれ形成すると更に好ましい。
【００３１】
供給部１２は、搬送機４の上流に、ウェブ２即ちその供給路「Ｐ」を所定の入射角で搬送機に向かって誘導するよう動作可能に配置される。
【００３２】
同様に、回収部１３は、搬送機４の下流に、ウェブ２を回収するように動作可能に配置され、即ち、搬送機４を離れる際の所定の出射角でのその供給路「Ｐ」を決定する。
【００３３】
材料を切断するために、装置１は更にレーザ切断ヘッド７を備え、このレーザ切断ヘッドは、レーザ光線「Ｆ」を発生させるよう構成されたレーザ光源７ａと、切断領域「Ｚ」へとレーザ光線「Ｆ」を誘導するよう構成された光学系７ｂとを備える。
【００３４】
本発明によれば、切断ヘッド７の光学系７ｂは、搬送機４の内部に位置する少なくとも一つの誘導部材８を備え、中心軸「Ａ」から離れて切断領域「Ｚ」へとレーザ光線「Ｆ」を誘導する。
【００３５】
即ち、誘導部材８は、搬送機４が形成する凹部と対向する。具体的には、誘導部材８は、中心軸「Ａ」に近接して配置される。
【００３６】
なお、誘導部材８は、ミラー９又はレンズのシステムによってレーザ光源７ａと動作可能に連結するミラー８ａ又はレンズであることが好ましい。
【００３７】
即ち、誘導部材８は、切断ヘッド７の最終要素（ｅｎｄ  ｅｌｅｍｅｎｔ）を形成することが好ましく、そこからレーザ光線「Ｆ」が切断対象の材料の方向に投影される。
【００３８】
誘導部材８は、モリブデン、アルミニウム、又は銅からできた金属部品によって構成されてもよい。
【００３９】
有利なことには、搬送機４の内部に配置した単一の誘導部材８（即ち、単一のミラー８ａ）を移動可能とすることで、装置の寸法が大幅に抑えられるだけでなく切断中にまつわる慣性も抑えられる。
【００４０】
これに関して、誘導部材８は、その回転軸「Ｂ」まわりに回転可能であって、レーザ光線「Ｆ」によって、ウェブ２それ自体の供給路「Ｐ」を横切る切断線「Ｔ」をウェブ２上に形成するような方向に向いている（方向に向けられる）ことが好ましい。
【００４１】
具体的には、誘導部材８は、第一の角度の切断開始位置「Ｔ１」と第二の角度の切断終了位置「Ｔ２」との間で少なくとも回転可能である。
【００４２】
従って、誘導部材８は、レーザ光線「Ｆ」の光路に沿って取り付けられ、レーザ光線を遮断して、搬送機４の内部から始まって中心軸「Ａ」から離れる切断領域「Ｚ」の方向にレーザ光線の進路を変える。
【００４３】
搬送機４に沿ったウェブ２の供給路「Ｐ」を横切る切断部を形成するために、誘導部材８は、その回転軸「Ｂ」まわりに回転可能である。
【００４４】
有利なことには、搬送機４によって与えられるその長手方向に沿った（即ち、供給路「Ｐ」に沿った）ウェブ２の動きを用いれば、回転軸「Ｂ」まわりに誘導部材８を回転させれば、その方向を横切る切断部が得られ、双方の軸に沿って切断を容易に制御可能となる。
【００４５】
なお、搬送機４の内部に誘導部材８を位置決めすることによって、誘導部材８そのものと切断領域Ｚとの距離の変動が大幅に抑えられ、これによって部品の移動が減少し、結果として装置の構造への応力が抑えられる。
【００４６】
なお、装置１の構造を損なうことなくウェブ２を正確に切断するために、（ウェブ２の曲線状の供給面を構成する）搬送機４は、レーザ光線「Ｆ」を透過させ誘導部材８に対向する少なくとも一つの透過部４ａを切断領域「Ｚ」に備えており、レーザ光線「Ｆ」が供給面を通過可能となる。
【００４７】
即ち、搬送機４は、少なくとも一つのレーザを透過させる部分を備え、その形状は、搬送機４の内部からレーザ光線「Ｆ」を通過可能とする少なくとも切断線のような形状であって、搬送機の内部に誘導部材８を配置し、搬送機４の外部には、ウェブ２が置かれる（そして、ゆえにウェブ２の搬送面を構成する）。
【００４８】
より詳細には、搬送機４に形成される透過部４ａは、誘導部材８の第一の角度（即ち切断開始）位置「Ｔ１」に対応する一端部と誘導部材８の第二の角度（即ち切断終了）位置「Ｔ２」に対応する第二の端部との間に少なくとも延びる。
【００４９】
実施形態に応じて、透過部４ａの構造や形状が異なってもよい。
【００５０】
図１に示した実施形態において、透過部４ａは、貫通孔によって形成される。具体的には、孔は、供給路「Ｐ」を横切って延びる長穴（ｓｌｏｔ）である。具体的には、（他の好適な実施形態のように）本実施形態において、長穴は中心軸「Ａ」に略平行な方向に延びる。
【００５１】
或いは、透過部４ａは、レーザ光線「Ｆ」を透過させる挿入物（ｉｎｓｅｒｔ）や窓によって形成可能である。
【００５２】
以下に、レーザの種類に応じた、この目的に使用可能な材料のリストを例示的（限定的ではない）に示す。
0006649897.tif 000002
0006649897.tif 000003
0006649897.tif 000004
【００５３】
これらの実施形態において、装置１は、繊維性材料（即ちウェブの材料）の昇華によって生成される汚れを除去するよう構成される、挿入物や窓を洗浄する手段を備えることが好ましい。
【００５４】
前述のように、誘導部材８は、搬送機内部で回転可能（又は、とにかく移動可能）であることが好ましく、レーザ光線「Ｆ」を所定の方向に沿って誘導する。
【００５５】
好ましくは、装置１は、移動手段３と誘導部材８との間に動作可能に挿入された機械式又は電気機械式の運動伝達手段９を備え、供給路「Ｐ」に沿った移動手段３の動きとその回転軸「Ｂ」まわりの誘導部材８の回転とを相互に関連付ける。
【００５６】
従って、有利なことには、切断ヘッド７についての特定の駆動装置（ｄｒｉｖｅ）の必要はなく、搬送機４の回転（即ち、より一般的には移動手段３の前進移動）のみを使用して、誘導部材８を移動させその移動を制御することが可能である。
【００５７】
伝達手段９は、（図示しない）歯車及び／又はベルトのシステムによって形成することが好ましい。
【００５８】
或いは、伝達手段９は、（電気機械式の）検流計（ｇａｌｖｏ）システムを備えてもよい。
【００５９】
検流計システムは、レーザ光線「Ｆ」を誘導部材８へと駆動する、回転が制限された（ｌｉｍｉｔｅｄ−ｒｏｔａｔｉｏｎ）ＤＣモータを備える。
【００６０】
モータの軸の回転位置に比例した信号を用いたモータの閉ループ制御用に内部位置センサを設けることが好ましい。
【００６１】
有利なことには、このようなシステムによれば、迅速かつ遠隔的に変更可能なデジタル制御が可能となる。
【００６２】
或いは、又は併用して、搬送機４と共に一体として回転するように誘導部材８を搬送機に取り付けてもよい。
【００６３】
例えば、図１に示す実施形態において、誘導部材は、ドラム５に取り付けられ、中心軸「Ａ」まわりにドラムと共に回転するが、自身の回転軸「Ｂ」周りにも回転し、供給方向を横切る切断線「Ｔ」を形成する。
【００６４】
この実施形態において（図１）、切断ヘッド７の光学系７ｂは、誘導部材８の上流に動作可能に配置された少なくとも一つの集束部１０を備え、この集束部は、レーザ光線「Ｆ」の焦点が誘導部材８そのものから遠位にある、誘導部材８近傍の位置と、レーザ光線「Ｆ」の焦点が誘導部材８そのものの近位にある、誘導部材８から離れた位置との間の直線を並進移動可能である。
【００６５】
有利なことには、集束部１０の直線運動によって、誘導部材８と切断領域「Ｚ」との間の有効距離の変動を補正することが可能である。
【００６６】
実際、本実施形態において、搬送機４は、中心軸「Ａ」を規定する、その長手方向の軸まわりに回転可能な円筒形のドラム５によって形成される。誘導部材８は、中心軸「Ａ」に配置されることが好ましい。
【００６７】
上述のように、ウェブ２の供給路「Ｐ」を横切って切断部を形成するには、誘導部材８が中心軸「Ａ」を横切る回転軸「Ｂ」まわりに回転し、これによって、切断中に切断領域「Ｚ」そのものからの、即ち、切断が行われるウェブ２上の点からの距離が変動する。
【００６８】
なお、回転軸「Ｂ」がドラム５の中心軸「Ａ」に入射するので、切断中の誘導部材８と切断領域「Ｚ」との間の距離の変動は、（搬送機の外側から切断が達成される）従来のものと比べるとかなり限定される。
【００６９】
光学系７ｂの軸方向の移動を完全になくすために、供給路「Ｐ」と誘導部材８の回転軸「Ｂ」とは、（少なくとも第一の角度位置「Ｔ１」と第二の角度位置「Ｔ２」との間で）誘導部材８の各角度位置に関して、誘導部材８そのものとレーザ光線「Ｆ」が移動するウェブ２の供給面とを結ぶ線分が略一定であるように位置決めすることが好ましい（図２、３ａ、３ｂ、４ａ〜４ｃ）。
【００７０】
具体的には、移動手段３と誘導部材８とは、誘導部材８の各角度位置に関して、誘導部材８とウェブ２の供給面との間でレーザ光線「Ｆ」がたどる光路の長さが略一定であるように位置決めされる。
【００７１】
即ち、供給手段３（即ち搬送機４）と光学系７ｂとは、誘導部材８の第一の角度位置「Ｔ１」と第二の角度位置「Ｔ２」との間で、レーザ光線「Ｆ」の光路が扇形即ち円形の一部（その頂点が誘導部材８の内部であることが好ましい）を形成するように構成される。
【００７２】
有利なことには、このように、誘導部材８と切断領域「Ｚ」（即ち、ウェブ２の供給面）との間の距離は、焦点距離を調整することなく（即ち光学系７ｂの軸方向の移動の必要なく）一定のままである。
【００７３】
上記に従って、第一の実施形態（図３ａ〜３ｃ）において、搬送機４は中心軸「Ａ」まわりに回転可能な円筒形のドラム５によって少なくとも部分的に形成されており、切断領域「Ｚ」は、ドラム５自身の周囲面５ａ上に形成される。
【００７４】
本実施形態において、誘導部材８は、ドラム５の中心軸「Ａ」に配置され、誘導部材８の第一の角度位置「Ｔ１」と第二の角度位置「Ｔ２」との間で、レーザ光線「Ｆ」が中心軸「Ａ」と直交する平面内にあるような向きとなっている。
【００７５】
従って、誘導部材８は、中心軸「Ａ」まわりに回転可能である。
【００７６】
即ち、本実施形態において、誘導部材８（即ち、ミラー）は、ドラム５の回転面にレーザ光線「Ｆ」を誘導するように位置決めされる。
【００７７】
従って、誘導部材８の第一の角度位置「Ｔ１」と第二の角度位置「Ｔ２」との間でレーザ光線「Ｆ」によって範囲が定まる面積によって、ドラム５の横断断面と同じ平面内に扇形が形成される。
【００７８】
即ち、レーザ光線「Ｆ」の回転方向は、略円周方向である。
【００７９】
更に、誘導部材８とドラム５とは、中心軸「Ａ」に対応する同一の軸まわりに一体となって回転可能であることが好ましい。
【００８０】
有利なことには、つまり、移動手段３と誘導部材８との間に機械的な伝達動作の必要がなくなる。実際、本実施形態において、伝達手段９は、誘導部材８とドラム５との堅固な連結によって形成される。
【００８１】
ウェブ２の供給方向を横切って切断部を形成するために、移動手段３は、部分的にらせん状の線に沿ってドラム５の周囲でウェブ２の供給路「Ｐ」を誘導するよう構成される。このようにウェブ２はドラム５の周囲で連係（ｔｉｅ）を形成する。
【００８２】
具体的には、移動手段３の供給部１２と回収部１３とは、中心軸「Ａ」に略直交する入射角と出射角とでウェブ２（即ち供給路「Ｐ」）をドラム５に向かって誘導又はドラム５からウェブ２を回収するよう構成される。
【００８３】
但し、入って行く供給路「Ｐ」は、出て行く供給路に対して中心軸「Ａ」に沿って相殺される（即ち位置が変化する）。
【００８４】
この位置の変化の程度は、ウェブ２の幅と等しいことが好ましい。
【００８５】
従って、ドラム５は、ウェブ解放領域に到達するまでらせんに沿って供給路「Ｐ」の進路を変えるよう構成される。
【００８６】
即ち、ドラム５は、約１８０°延びるらせんの一部に沿ってドラム５自身の周りでウェブ２の供給路の進路を変えるような形状のガイドを形成する。
【００８７】
有利なことには、従って、レーザ光線「Ｆ」に対して横切るような方向に移動するウェブ２によって横方向の切断部の形成が可能となる。
【００８８】
更に、本実施形態において、（ドラム５との一体的な回転以外の）誘導部材の全ての動きが排除され、コスト及び設計の単純さの点で大きな利点を有する。
【００８９】
更に、本実施形態において、レーザ光線「Ｆ」は常に切断領域「Ｚ」即ち切断対象のウェブ２に直交しており、これによってプロセスの効率が高まる。
【００９０】
供給路「Ｐ」の入射（及び出射）角度が大きいほど、誘導部材８の第一の角度位置「Ｔ１」と第二の角度位置「Ｔ２」との間でレーザ光線「Ｆ」が「描く（ｓｗｅｐｔ）」（即ち覆う）扇形が小さくなり好ましい。
【００９１】
別の実施形態（図２）において、誘導部材８と切断領域「Ｚ」との間でレーザ光線「Ｆ」が進む光路の安定性が、ドラム５の側面を曲線状とすることで得られる。
【００９２】
具体的には、幾つかの実施形態において、ウェブ２の摺動面（と切断領域「Ｚ」）を構成するドラム５の側面は、少なくとも部分的に球状を有し、誘導部材８は、切断領域「Ｚ」の全ての点から等距離にあるようにその球状の中心に位置する。
【００９３】
なお、ドラム５を搬送機４に取り外し可能に接続してもよい。即ち、ドラム５は、要件に応じて別の形状を有する別のものとの置き換えが可能である。
【００９４】
球状面は、ドラム５上に（少なくとも部分的に球状の）環状の挿入物を固定（ｋｅｙｉｎｇ）したり、ドラム５の表面を成形したりすることによって得られる。
【００９５】
本実施形態において、誘導部材８は、有利なことには、誘導部材と連結した運動伝達手段を有し、この運動伝達手段は、互いに直交する少なくとも二つの軸、好ましくは三つの軸周りに回転運動を誘導部材８に付与するよう構成されているので、レーザ光線「Ｆ」の動き（及び形成すべき部分の形状（ｇｅｏｍｅｔｒｙ））が完全に自由となる。
【００９６】
更なる実施形態において（図４ａ〜４ｃ）、搬送機４は、中心軸「Ａ」の周囲に少なくとも部分的に延びる半楕円形のガイド６ａとこの半楕円形のガイド６ａ上で摺動可能なベルト６ｂとを有する。
【００９７】
即ち、半楕円形のガイド６ａは、中心軸「Ａ」の周囲で曲線状のウェブ２の供給路「Ｐ」を形成する。
【００９８】
半楕円形のガイド６ａに沿ったこの供給路「Ｐ」は、楕円状の線の動きを形成する。
【００９９】
なお、ガイド６ａは、中心軸「Ａ」の周囲に位置決めされるが、それに対して固定されたままである。実際、ベルト６ｂがガイドに沿って摺動しており、切断対象の材料、即ちウェブ２を伴って動く。
【０１００】
本実施形態において、誘導部材８は、中心軸「Ａ」に角度「α」で入射するその回転軸「Ｂ」まわりに回転可能である。
【０１０１】
具体的には、角度「α」の値は、誘導部材８の各角度位置に関して、レーザ光線「Ｆ」が誘導部材８自身から同じ所定距離に位置する半楕円形のガイド６ａ上の一点を遮断するような値である。
【０１０２】
即ち、ガイド６ａは楕円形であるので、中心軸「Ａ」に直交する平面で測定した誘導部材８とガイド６ａとの間の距離は、角度位置が変化すると変動する。
【０１０３】
但し、誘導部材８の回転軸「Ｂ」と中心軸「Ａ」との間の角度「α」によって、中心軸「Ａ」に対してある角度で傾斜してガイド６ａと共に円形を形成する切断平面内でレーザ光線「Ｆ」が回転可能となる。
【０１０４】
なお、角度「α」の値は、半楕円形のガイド６ａの偏心（ｅｃｃｅｎｔｒｉｃｉｔｙ）の関数である。
【０１０５】
具体的には、誘導部材８の回転軸「Ｂ」の傾斜角度「α」は、以下の式を用いて計算できる。
α  ＝  ａｒｃｓｉｎ  （ｅ）
【０１０６】
式においてｅはガイド６ａの偏心を表す。
【０１０７】
有利なことには、このように、誘導部材８自身の回転軸「Ｂ」に直交する平面で計測した、誘導部材８の第一の角度位置「Ｔ１」と第二の角度位置「Ｔ２」との間でレーザ光線「Ｆ」が範囲を定める面積によって、半楕円形のガイド６ａによって外周の範囲が定まる扇形が形成される。
【０１０８】
本発明によって、先の目的が達成され、重要な利点がもたらされる。
【０１０９】
実際、ドラム又は曲線状のガイドである搬送機の内部に取り付けられた誘導部材、即ちミラーを使用することで、製造装置や切断装置の寸法がコンパクトとなり、誘導部材そのものを移動させる必要性が抑えられる。
【０１１０】
実際、いずれの実施形態においても、誘導部材自身の回転中の誘導部材と切断領域との間の距離の変動は、誘導部材をドラムの外側に取り付けた従来の場合と比較して非常に減少する。
【０１１１】
更に、搬送機及び移動手段の構造を誘導部材の回転と関連付けることによって、切断作業全体を通じて、即ち、誘導部材の第一の角度位置と第二の角度位置との間で、このような距離を一定に保つことが可能となる。
【０１１２】
このように、これらの方法によれば、光学系及び特に誘導部材の駆動の動きが実質上相殺されるとまではいかなくても大幅に抑えられ、作業速度や関係する慣性を制限するという点で大きな利点を有する。
【０１１３】
また、ドラムの円筒形形状と、連係供給システム（ｔｉｅ  ｆｅｅｄ  ｓｙｓｔｅｍ）と、このドラムと一体となった誘導部材の回転とを組み合わせることで、常に切断面、即ちウェブに直交するようレーザ光線を維持することが可能であり、プロセスの効率及び効果の点で大きな利点を有する。
【先行技術文献】
【特許文献】
【０１１４】
【特許文献１】ＥＰ０５４９３５７号
【図１】
0006649897.tif 000005
【図２】
0006649897.tif 000006
【図３ａ】
0006649897.tif 000007
【図３ｂ】
0006649897.tif 000008
【図３ｃ】
0006649897.tif 000009
【図４ａ】
0006649897.tif 000010
【図４ｂ】
0006649897.tif 000011
【図４ｃ】
0006649897.tif 000012